(57)【要約】  【課題】自動販売機の商品取出口装置に関し、商品取出口内部で商品の嵌まり込みを防止し、商品取出しの際、商品取出し性の向上を図る。  【解決手段】内扉に埋設されて商品搬出扉の軸受を形成した商品搬出口７を庫内側へ凹形状７ｂとすることにより、商品が商品搬出口７と搬出緩衝材１０との間に嵌まり込むことがあっても、商品を凹形状部７ｂにて商品を回転し取り出すことができるので、商品取出し性を向上した自動販売機の商品取出口装置ができる。【選択図】図３
2009266164.tif 000002
【特許請求の範囲】
【請求項１】
自動販売機の庫内に商品収容室が形成されている断熱構造の本体と、前記本体の前面に商品取出口が設けられている外扉と、前記本体と前記外扉の間に位置する内扉と、庫内の商品収容ラックから搬出シュートを経て商品取出口へと搬出するための商品搬出扉と、前記内扉に埋設されて前記商品搬出扉の軸受を形成した商品搬出口からなり、前記商品搬出口下部に弾性部材を備えたことを特徴とした自動販売機の商品取出口装置。
【請求項２】
自動販売機の前面に開口した商品取出口において、内扉に埋設されて商品搬出扉の軸受を形成した商品搬出口の下部に凹凸自在な軟質中空部材を設けることを特徴とした自動販売機の商品取出口装置。
【請求項３】
自動販売機の前面に開口した商品取出口において、内扉に埋設されて商品搬出扉の軸受を形成した商品搬出口の下部形状を庫内側へ凹形状とすることを特徴とした自動販売機の商品取出口装置。
【発明の詳細な説明】
【技術分野】
【０００１】
本発明は缶入り飲料などの商品を販売する自動販売機の商品取出口装置に関するものである。
【背景技術】
【０００２】
近年、缶入り飲料などの商品を販売する自動販売機は、商品取出口の商品受容寸法を増し、商品の取出し性の向上を図ってきた。
【０００３】
まず、図５は一般に缶入り飲料などの商品を販売する自動販売機の構成図である。図５において、自動販売機の本体１の前面に設けられた外扉２と、外扉２の下部に設けた商品取出口３と、内扉４と、本体１の庫内に搭載した商品収容ラック５と、商品収容ラック５から商品取出口３に搬出する搬出シュート６である。
【０００４】
以上のように構成された自動販売機について、以下にその動作を説明する。
【０００５】
まず、商品販売指令により商品収容ラック５から搬出した商品は搬出シュート６に落下し、搬出シュート６の傾斜を商品の自重で滑り落ち、内扉４に埋設し、商品搬出口７に設けられた軸受を中心に、商品搬出扉７ａを押し開けて商品取出口３の中に転がり落ち受容される。そして、自動販売機利用客は商品取出口３の前面に配した取出口扉８を開いて内部に手を差し入れ、商品を掴んで取出すことができる。
【０００６】
次に図６は、従来の自動販売機の商品取出口装置の構成図である。以下、図面を参照しながら上記従来の自動販売機の商品取出口装置を説明する。図６に示すように従来の自動販売機の商品取出口装置は、商品取出口３の底板３ａに樹脂製底部シート９と、前面板３ｂに勘合する断面逆Ｕ字状をなす硬質樹脂製の搬出緩衝材１０と、商品取出口３内部には開閉角度により、庫外から手や棒を庫内に入るのを防ぐための防盗プレート１１とから構成されている。
【０００７】
以上のように構成された自動販売機の商品取出口装置について、以下その動作を説明する。
【０００８】
まず、内扉４に埋設し、商品搬出口７に設けられた軸受を中心に、商品搬出扉７ａを押し開けて商品取出口３の中に転がり落ちた商品は、搬出緩衝材１０に当たり、底部シート９に落下し、商品取出口３に受容される。そして、自動販売機利用客は商品取出口３の前面に配した取出口扉８を開いて内部に手を差し入れ、商品を掴んで取出すことができる。
【特許文献１】特開２００６−７２６１０号公報
【発明の開示】
【発明が解決しようとする課題】
【０００９】
しかしながら、上記従来の構成は、自動販売機利用客は商品取出口３の内部に手を差し入れ、商品を掴む際、まれに商品が商品取出口３内で商品搬出口７と商品取出口３の搬出緩衝材１０との間に嵌まり込み、取り出しにくいという欠点があった。
【００１０】
それは、自動販売機の据え付け・設置において道路へのはみ出し防止のため、自動販売機の薄型構造の設計となっているため、庫内への商品収容本数は減らさずに薄型構造の設計を行うと外扉２の奥行き寸法が縮まり、商品取出口３の奥行き寸法も必然的に縮減される。
【００１１】
このために、内扉４に設けられた商品搬出口７と商品取出口３の搬出緩衝材１０との隙間が制限され、商品取出口３の商品受容寸法を商品が鷲掴みできる寸法まで拡大すると、商品搬出口７と商品取出口３の搬出緩衝材１０との間に嵌まり込むことがあるということである。
【００１２】
本発明は従来の課題を解決するもので、自動販売機の奥行き寸法を変えずに商品取出口から商品を掴みやすく、取出しやすくすることができる自動販売機の商品取出口装置を提供することを目的とする。
【課題を解決するための手段】
【００１３】
上記従来の課題を解決するために、本発明の自動販売機の商品取出口装置は、自動販売機の前面に開口した商品取出口において、内扉に埋設されて商品搬出扉の軸受を形成した商品搬出口下部に弾性部材を備えたものである。
【００１４】
これによって、搬出シュートの傾斜を商品の自重で滑り落ち、前記商品搬出扉を押し開けて前記商品取出口の中に転がり落ち受容される際、前記弾性部材があるので、従来前記商品搬出口と前記商品取出口の搬出緩衝材との間に嵌まり込んだ商品は、嵌まり込むことがない。
【００１５】
また、前記弾性部材と前記商品取出口の前記搬出緩衝材との間に嵌まり込む商品は、前記弾性部材を凹ませて商品を取り出すことができる。
【００１６】
また、本発明の自動販売機の商品取出口装置は、自動販売機の前面に開口した商品取出口において、内扉に埋設されて商品搬出扉の軸受を形成した商品搬出口下部にビスなどで固定し凹凸自在な軟質中空部材を設けたものである。
【００１７】
これによって、搬出シュートの傾斜を商品の自重で滑り落ち、前記商品搬出扉を押し開けて前記商品取出口の中に転がり落ち受容される際、凹凸自在な前記軟質中空部材があるので、従来前記商品搬出口と前記商品取出口の搬出緩衝材との間に嵌まり込んだ商品は、嵌まり込むことがない。
【００１８】
また、前記凹凸自在な前記軟質中空部材と前記商品取出口の前記搬出緩衝材との間に嵌まり込む商品は、凹凸自在な前記軟質中空部材を凹ませて商品を取り出すことができる。
【００１９】
また、凹凸自在な前記軟質中空部をビスなどで固定するので、経年劣化により取れることがない。
【００２０】
また、本発明の自動販売機の商品取出口装置は、自動販売機の前面に開口した商品取出口において、内扉に埋設されて商品搬出扉の軸受を形成した商品搬出口下部形状を庫内側へ凹形状としたものである。
【００２１】
これによって、搬出シュートの傾斜を商品の自重で滑り落ち、前記商品搬出扉を押し開けて前記商品取出口の中に転がり落ち受容される際、まれに前記商品搬出口と前記商品取出口の搬出緩衝材との間に嵌まり込むことがあっても、商品を前記凹形状部にて商品を回転し取り出すことができる。
【発明の効果】
【００２２】
本発明の自動販売機の商品取出口装置は、商品が商品取出口内で商品搬出口と商品取出口の搬出緩衝材との間に嵌まり込まない、または、嵌まり込んでも商品を回転し嵌まり込み解除ができるので、自動販売機利用客は商品取出口の内部に手を差し入れ、商品を取り出し易くすることができる。
【発明を実施するための最良の形態】
【００２３】
請求項１に記載の発明は、自動販売機の前面に開口した商品取出口において、内扉に埋設されて商品搬出扉の軸受を形成した商品搬出口下部にクロロプレンゴム材やエチレンプロピレンゴム材やウレタンフォーム材やポリエチレンフォーム材などの弾性部材を備え、商品が前記商品搬出扉を押し開けて前記商品取出口の中に転がり落ち受容される際、前記弾性部材があるので、従来前記商品搬出口と前記商品取出口の搬出緩衝材との間に嵌まり込んだ商品は、嵌まり込むことがない。また、前記弾性部材と前記商品取出口の前記搬出緩衝材との間に嵌まり込む商品は、前記弾性部材を凹ませて商品を取り出すことができる。
【００２４】
請求項２に記載の発明は、自動販売機の前面に開口した商品取出口において、内扉に埋設されて商品搬出扉の軸受を形成した商品搬出口の下部にビスなどで固定し凹凸自在な軟質中空部材を備え、商品が前記商品搬出扉を押し開けて前記商品取出口の中に転がり落ち受容される際、前記凹凸自在な軟質中空部材があるので、従来前記商品搬出口と前記商品取出口の搬出緩衝材との間に嵌まり込んだ商品は、嵌まり込むことがない。また、前記凹凸自在な軟質中空部材と前記商品取出口の前記搬出緩衝材との間に嵌まり込む商品は、前記凹凸自在な軟質中空部材を凹ませて商品を取り出すことができる。また、ビスなどで前記商品搬出口に前記凹凸自在な軟質中空部材を固定しているので、経年劣化により取れることがない。
【００２５】
請求項３に記載の発明は、自動販売機の前面に開口した商品取出口において、内扉に埋設されて商品搬出扉の軸受を形成した商品搬出口と前記商品搬出口の下部形状が庫内側へ凹形状としたものを備え、商品が前記商品搬出扉を押し開けて前記商品取出口の中に転がり落ち受容される際、まれに前記商品搬出口と前記商品取出口の前記搬出緩衝材との間に嵌まり込むことがあっても、商品を前記凹形状部にて商品を回転し取り出すことができる。また、前記商品搬出口の下部形状の一部が凹形状となっているだけなので、前記凹部と前記商品取出口の前記搬出緩衝材との間に嵌まり込むことはない。
【００２６】
以下、本発明の実施の形態について、図面を参照しながら説明するが、従来例または先に説明した実施の形態と同一構成については同一符号を付して、その詳細な説明は省略する。なお、この実施の形態によって本発明が限定されるものではない。
【００２７】
（実施の形態１）
図１は、本発明の実施の形態１における自動販売機の商品取出口装置の構成図である。
【００２８】
図１に示すように、自動販売機は基本的に図５に示した従来構造と同様であるが、内扉４に埋設されて商品搬出扉７ａの軸受を形成した商品搬出口７下部にクロロプレンゴム材やエチレンプロピレンゴム材やウレタンフォーム材やポリエチレンフォーム材などの弾性部材１７を備え、商品が商品搬出扉７ａを押し開けて商品取出口１３の中に転がり落ち受容される際、弾性部材１７があるので、従来商品搬出口７と商品取出口１３の搬出緩衝材１０との間に嵌まり込んだ商品は、嵌まり込むことがない。また、弾性部材１７と商品取出口１３の搬出緩衝材１０との間に嵌まり込む商品は、弾性部材１７を凹ませて商品を取り出すことができる。
【００２９】
（実施の形態２）
図２は、本発明の実施の形態２における自動販売機の商品取出口装置の構成図である。
【００３０】
図２に示すように、自動販売機は基本的に図５に示した従来構造と同様であるが、内扉４に埋設されて商品搬出扉７ａの軸受を形成した商品搬出口７下部にビスなどで固定し凹凸自在な軟質中空部材１８を備え、商品が商品搬出扉７ａを押し開けて商品取出口１３の中に転がり落ち受容される際、凹凸自在な軟質中空部材１８があるので、従来商品搬出口７と商品取出口１３の搬出緩衝材１０との間に嵌まり込んだ商品は、嵌まり込むことがない。
【００３１】
また、凹凸自在な軟質中空部材１８と商品取出口１３の搬出緩衝材１０との間に嵌まり込む商品は、凹凸自在な軟質中空部材１８を凹ませて商品を取り出すことができる。
【００３２】
また、ビスなどで商品搬出口１３に凹凸自在な軟質中空部材１８を固定しているので、経年劣化により取れることがない。
【００３３】
（実施の形態３）
図３は、本発明の実施の形態３における自動販売機の商品取出口装置の構成図である。
【００３４】
また、図４は、本発明の実施の形態３における自動販売機の商品搬出口部品詳細図である。
【００３５】
図３に示すように、自動販売機は基本的に図５に示した従来構造と同様であるが、図４に示すように内扉４に埋設されて商品搬出扉７ａの軸受を形成した商品搬出口７下部形状が庫内側へ凹形状部７ｂとしたものを備え、まれに商品が商品搬出扉７ａを押し開けて商品取出口１３の中に転がり落ち受容される際、商品搬出口７と商品取出口１３の搬出緩衝材１０との間に嵌まり込むことがあっても、商品を凹形状部７ｂにて商品を回転し取り出すことができる。
【００３６】
また、商品搬出口７の下部形状の一部が凹形状７ｂとなっているだけなので、凹形状部７ｂと商品取出口１３の搬出緩衝材１０との間に商品が嵌まり込むことはない。
【産業上の利用可能性】
【００３７】
以上のように、本発明にかかる自動販売機の商品取出口装置は、商品取出口内に弾性部材・凹凸自在の軟質中空部材、または一部を凹形状とすることで、商品受容寸法を変えることなく、様々な形状・大きさの商品が商品取出口内部で嵌まり込みを防止することができるので、缶入り飲料などの商品を販売する自動販売機以外にも、たばこや切符の自動販売機の商品取出口装置等の用途にも適用できる。
【図面の簡単な説明】
【００３８】
【図１】本発明による自動販売機の商品取出口装置の実施の形態１の構成図
【図２】本発明による自動販売機の商品取出口装置の実施の形態２の構成図
【図３】本発明による自動販売機の商品取出口装置の実施の形態３の構成図
【図４】本発明による自動販売機の商品取出口装置の実施の形態３の商品搬出口部品詳細図
【図５】従来の自動販売機の構成図
【図６】従来の自動販売機の商品取出口装置の構成図
【符号の説明】
【００３９】
４    内扉
７    商品搬出口
７ａ  商品搬出扉
７ｂ  凹形状
１３  商品取出口
１７  弾性部材
１８  軟質中空部
【図１】
2009266164.tif 000003
【図２】
2009266164.tif 000004
【図３】
2009266164.tif 000005
【図４】
2009266164.tif 000006
【図５】
2009266164.tif 000007
【図６】
2009266164.tif 000008